(57)【要約】【課題】  高ズーム比であり、全ズーム範囲において高い光学性能を有し、撮像装置に適用した際に撮像装置の厚さを薄くすることができるズームレンズを得ること。【解決手段】  物体側より像側へ順に、正の屈折力の第１レンズ群、負の屈折力の第２レンズ群、光路を折り曲げるための反射部材を有し、像側より物体側へ順に正の屈折力の第Ｎレンズ群、負の屈折力の第Ｎ−１レンズ群を有し、広角端から望遠端へのズーミングに際して、第１レンズ群と第２レンズ群の間隔が増大し、第Ｎ−１レンズ群と第Ｎレンズ群の間隔が変化するズームレンズにおいて、  第２レンズ群の焦点距離ｆ２、第Ｎ−１レンズ群の焦点距離ｆ（Ｎ−１）、望遠端における全系の焦点距離ｆＴをそれぞれ適切に設定すること。【選択図】  図１
2014109665.tif 000002
【特許請求の範囲】
【請求項１】
物体側より像側へ順に、正の屈折力の第１レンズ群、負の屈折力の第２レンズ群、光路を折り曲げるための反射部材を有し、像側より物体側へ順に正の屈折力の第Ｎレンズ群、負の屈折力の第（Ｎ−１）レンズ群を有し、広角端から望遠端へのズーミングに際して、前記第１レンズ群と前記第２レンズ群の間隔が増大し、前記第（Ｎ−１）レンズ群と前記第Ｎレンズ群の間隔が変化するズームレンズであって、
前記第２レンズ群の焦点距離をｆ２、前記第（Ｎ−１）レンズ群の焦点距離をｆ（Ｎ−１）、望遠端における全系の焦点距離をｆＴとしたとき、
０．０１  ＜  √（｜ｆ２｜×｜ｆ（Ｎ−１）｜）／ｆＴ  ＜  ０．０９
なる条件式を満足することを特徴とするズームレンズ。
【請求項２】
前記反射部材は、沈胴収納時に撮影状態とは異なる位置に移動し、前記反射部材の移動によって生じた空間に、前記第１レンズ群及び前記第２レンズ群の少なくとも一部が沈胴収納されることを特徴とする請求項１に記載のズームレンズ。
【請求項３】
前記第（Ｎ−１）レンズ群の望遠端における横倍率をβ（Ｎ−１）Ｔ、前記第Ｎレンズ群の望遠端における横倍率をβ（Ｎ）Ｔとしたとき、
２．０  ＜  ｜｛１−（β（Ｎ−１）Ｔ）２｝×（β（Ｎ）Ｔ）２｜  ＜  ６．０
なる条件式を満足することを特徴とする請求項１または２に記載のズームレンズ。
【請求項４】
請求項１乃至３のいずれか１項に記載のズームレンズにおいて
０．０５  ＜  ｜ｆ（Ｎ−１）｜／ｆＴ  ＜  ０．２０
なる条件式を満足することを特徴とするズームレンズ。
【請求項５】
前記第Ｎレンズ群の焦点距離をｆ（Ｎ）としたとき、
０．０５  ＜  ｆ（Ｎ）／ｆＴ  ＜  ０．２０
なる条件式を満足することを特徴とする請求項１乃至４のいずれか１項に記載のズームレンズ。
【請求項６】
前記第１レンズ群の焦点距離をｆ１としたとき、
１００  ＜  ｆ１／ｆＴ  ＜  ０．４００
なる条件式を満足することを特徴とする請求項１乃至５のいずれか１項に記載のズームレンズ。
【請求項７】
請求項１乃至６のいずれか１項に記載のズームレンズにおいて、
０．０１０  ＜  ｜ｆ２｜／ｆＴ  ＜  ０．１００
なる条件式を満足することを特徴とするズームレンズ。
【請求項８】
広角端における全系の開放Ｆ値をＦＮｏＷ、望遠端における全系の開放Ｆ値をＦＮｏＴ、前記第（Ｎ−１）レンズ群の広角端における横倍率をβ（Ｎ−１）Ｗ、前記第Ｎレンズ群の広角端における横倍率をβ（Ｎ）Ｗ、前記第（Ｎ−１）レンズ群の望遠端における横倍率をβ（Ｎ−１）Ｔ、前記第Ｎレンズ群の望遠端における横倍率をβ（Ｎ）Ｔとしたとき、
０．５０  ＜  ｛｜｛１−（β（Ｎ−１）Ｗ）２｝×（β（Ｎ）Ｗ）２｜／ＦＮｏＷ｝／｛｜｛１−（β（Ｎ−１）Ｔ）２｝×（β（Ｎ）Ｔ）２｜／ＦＮｏＴ｝  ＜  ２．００
なる条件式を満足することを特徴とする請求項１乃至７のいずれか１項に記載のズームレンズ。
【請求項９】
前記第２レンズ群の広角端における横倍率をβ２Ｗ、前記第２レンズ群の望遠端における横倍率をβ２Ｔとしたとき、
８．００  ＜  β２Ｔ／β２Ｗ  ＜  １８．００
なる条件式を満足することを特徴とする請求項１乃至８のいずれか１項に記載のズームレンズ。
【請求項１０】
前記第（Ｎ−１）レンズ群は正レンズと負レンズを含む複数のレンズからなり、該複数のレンズの屈折率の平均値をｎ（Ｎ−１）としたとき、
１．７５  ＜  ｎ（Ｎ−１）  ＜  ２．５０
なる条件式を満足することを特徴とする請求項１乃至９のいずれか１項に記載のズームレンズ。
【請求項１１】
前記第（Ｎ−１）レンズ群は単レンズからなり、該単レンズのアッベ数をν（Ｎ−１）としたとき、
５０．０  ＜  ν（Ｎ−１）
なる条件式を満足することを特徴とする請求項１乃至９のいずれか１項に記載のズームレンズ。
【請求項１２】
物体側から像側へ順に、正の屈折力の第１レンズ群、負の屈折力の第２レンズ群、光路を折り曲げるための反射部材を含む、負の屈折力の第３レンズ群、正の屈折力の第４レンズ群、負の屈折力の第５レンズ群、正の屈折力の第６レンズ群より構成されることを特徴とする請求項１乃至１１のいずれか１項に記載のズームレンズ。
【請求項１３】
物体側から像側へ順に、正の屈折力の第１レンズ群、負の屈折力の第２レンズ群、光路を折り曲げるための反射部材を含む、負の屈折力の第３レンズ群、正の屈折力の第４レンズ群、正の屈折力の第５レンズ群、負の屈折力の第６レンズ群、正の屈折力の第７レンズ群より構成されることを特徴とする請求項１乃至１１のいずれか１項に記載のズームレンズ。
【請求項１４】
請求項１乃至１３のいずれか１項に記載のズームレンズと、該ズームレンズによって形成される像を受光する固体撮像素子とを有することを特徴とする撮像装置。
【発明の詳細な説明】
【技術分野】
【０００１】
本発明はズームレンズ及びそれを有する撮像装置に関し、例えば電子スチルカメラやビデオカメラ、放送用カメラ、監視カメラ等のような固体撮像素子を用いた撮像装置、或いは銀塩写真フィルムを用いたカメラ等の撮像装置に好適なものである。
【背景技術】
【０００２】
近年、撮像装置（カメラ）に用いられるズームレンズは、高ズーム比で小型であることが求められており、特に撮像装置に適用した際に、撮像装置の厚さを薄くできることが要求されている。
【０００３】
撮像装置を小型化しつつ、高ズーム比を実現するために、非撮影時には各レンズ群の間隔を撮影状態とは異なる間隔まで縮小して撮像装置筐体内に収納する、沈胴式のズームレンズが知られている。また、撮像装置の厚さを薄くするために、光路中に反射プリズムを配置して撮影光学系の光軸を９０°折り曲げる、屈曲式のズームレンズが知られている。
【０００４】
さらに、沈胴式と屈曲式の複合方式として、非撮影時に反射プリズムが移動し、反射プリズムの移動により生じた空間に、反射プリズムより物体側に位置するレンズ群が沈胴して収納される屈曲沈胴式のズームレンズが知られている（特許文献１、２、３）。
【先行技術文献】
【特許文献】
【０００５】
【特許文献１】特開２０１０−１５２３１８号公報
【特許文献２】特開２０１１−０５３２９５号公報
【特許文献３】特開２０１２−０２７０８４号公報
【発明の概要】
【発明が解決しようとする課題】
【０００６】
ズームレンズにおいて、高ズーム比を実現し、全系の小型化を図るためには、ズームレンズを構成する各レンズ群の屈折力（光学的パワー、つまり焦点距離の逆数）を強めつつ、レンズ枚数を削減すればよい。しかし、こうしたズームレンズは、各レンズの屈折力の増加に伴いコバ厚を確保する必要がある。その結果、レンズ肉厚が増大してしまい、特に前玉の有効径が増大し、レンズ全長を十分に短縮することが難しくなる。
【０００７】
ズームレンズにおいて、高ズーム比を実現し、レンズ系全体の小型化を図るには、各レンズ群の屈折力やズーミングに伴う移動条件等を適切に設定することが重要である。さらに、光路を屈曲させる反射部材（反射プリズムや反射ミラー）を用いることにより撮像装置の厚さを薄くすることもできる。しかし、ズーミングの際の各レンズ群の移動量や、光路中の反射部材の配置が適切でないと、ズーミングに伴う諸収差の変動が大きくなり、さらには撮像装置の小型化を実現することができない。
【０００８】
高ズーム比を実現し、全系の小型化を図るためには、ズームレンズのレンズ構成を適切に設定し、かつ、反射部材の光路中における配置、そしてズーミングの際の各レンズ群の移動量等を適切に設定することが重要になる。特に、各レンズ群の屈折力やズーミング時の変倍用のレンズ群の移動量等が適切でないと、ズーミングの際の諸収差の変動が大きくなり、レンズ系の小型化が困難になる。
【０００９】
本発明は、高ズーム比であり、全ズーム範囲において高い光学性能が得られ、撮像装置に適用した際に撮像装置の厚さを薄くすることができるズームレンズ及びそれを用いた撮像装置を提供することを目的とする。
【課題を解決するための手段】
【００１０】
本発明のズームレンズは、物体側より像側へ順に、正の屈折力の第１レンズ群、負の屈折力の第２レンズ群、光路を折り曲げるための反射部材を有し、像側より物体側へ順に正の屈折力の第Ｎレンズ群、負の屈折力の第（Ｎ−１）レンズ群を有し、広角端から望遠端へのズーミングに際して、第１レンズ群と第２レンズ群の間隔が増大し、第（Ｎ−１）レンズ群と第Ｎレンズ群の間隔が変化するズームレンズであって、
第２レンズ群の焦点距離をｆ２、第（Ｎ−１）レンズ群の焦点距離をｆ（Ｎ−１）、望遠端における全系の焦点距離をｆＴとしたとき、
０．０１  ＜  √（｜ｆ２｜×｜ｆ（Ｎ−１）｜）／ｆＴ  ＜  ０．０９
なる条件式を満足することを特徴としている。
【発明の効果】
【００１１】
本発明によれば、高ズーム比であり、全ズーム範囲において高い光学性能を有し、撮像装置に適用した際に撮像装置の厚さを薄くすることができるズームレンズが得られる。
【図面の簡単な説明】
【００１２】
【図１】実施例１のズームレンズの光路を展開したときの広角端におけるレンズ断面図
【図２】（Ａ）、（Ｂ）、（Ｃ）、（Ｄ）は、実施例１のズームレンズの広角端、第１の中間のズーム位置、第２の中間ズーム位置、望遠端における収差図
【図３】実施例２のズームレンズの光路を展開したときの広角端におけるレンズ断面図
【図４】（Ａ）、（Ｂ）、（Ｃ）、（Ｄ）は、実施例２のズームレンズの広角端、第１の中間のズーム位置、第２の中間ズーム位置、望遠端における収差図
【図５】実施例３のズームレンズの光路を展開したときの広角端におけるレンズ断面図
【図６】（Ａ）、（Ｂ）、（Ｃ）、（Ｄ）は、実施例３のズームレンズの広角端、第１の中間のズーム位置、第２の中間ズーム位置、望遠端における収差図
【図７】実施例４のズームレンズの光路を展開したときの広角端におけるレンズ断面図
【図８】（Ａ）、（Ｂ）、（Ｃ）、（Ｄ）、（Ｅ）は、実施例４のズームレンズの広角端、第１の中間のズーム位置、第２の中間ズーム位置、第３の中間ズーム位置、望遠端における収差図
【図９】本発明の実施例１のズームレンズのレンズ断面図
【図１０】本発明の撮像装置の要部概略図
【発明を実施するための形態】
【００１３】
以下、本発明の実施例のズームレンズ及びそれを有する撮像装置について説明する。本発明の実施例のズームレンズは、物体側より像側へ順に、正の屈折力の第１レンズ群、負の屈折力の第２レンズ群、光学系の光軸を９０度（９０度±１０度以内であればよい）折り曲げる反射プリズムを有している。また、像側から物体側へ順に、正の屈折力の第Ｎレンズ群、負の屈折力の第Ｎ−１レンズ群を有している。広角端（短焦点距離端）から望遠端（長焦点距離端）へのズーミングの際に、少なくとも第１レンズ群、第２レンズ群、第Ｎ−１レンズ群が移動する。第２レンズ群は像側に単調移動し、広角端に比べ望遠端において、第１レンズ群と第２レンズ群の間隔が大きくなり、第２レンズ群と第３レンズ群の間隔が小さくなり、第Ｎ−１レンズ群と第Ｎレンズ群の間隔が変化する。
【００１４】
また、沈胴収納時には反射部材（反射プリズムや反射ミラー）が撮影時とは異なる位置に移動し、反射プリズムの移動によって生じた空間に、第１レンズ群及び第２レンズ群の少なくとも一部が沈胴収納される。
【００１５】
実施例１〜実施例３のズームレンズでは、物体側より像側へ順に正の屈折力の第１レンズ群、負の屈折力の第２レンズ群、負の屈折力の第３レンズ群、正の屈折力の第４レンズ群、負の屈折力の第５レンズ群、正の屈折力の第６レンズ群より構成される。広角端から望遠端へのズーミングの際に第３レンズ群、第６レンズ群は不動であり、第４レンズ群、第５レンズ群はそれぞれ移動する。
【００１６】
実施例４のズームレンズは、物体側より像側へ順に正の屈折力の第１レンズ群、負の屈折力の第２レンズ群、負の屈折力の第３レンズ群、正の屈折力の第４レンズ群、正の屈折力の第５レンズ群、負の屈折力の第６レンズ群、正の屈折力の第７レンズ群より成る。広角端から望遠端へのズーミングの際に、第３レンズ群、第７レンズ群は不動であり、第１レンズ群、第２レンズ群、第４レンズ群、第５レンズ群、第６レンズ群はそれぞれ移動する。
【００１７】
図１は実施例１のズームレンズの光路を展開したときの広角端におけるレンズ断面図である。図２（Ａ）、（Ｂ）、（Ｃ）、（Ｄ）はそれぞれ実施例１のズームレンズの広角端、第１の中間のズーム位置、第２の中間のズーム位置、望遠端における収差図である。実施例１はズーム比２８．６９、開口比３．５０〜７．１０程度のズームレンズである。
【００１８】
図３は実施例２のズームレンズの光路を展開したときの広角端におけるレンズ断面図である。図４（Ａ）、（Ｂ）、（Ｃ）、（Ｄ）はそれぞれ実施例２のズームレンズの広角端、第１の中間のズーム位置、第２の中間のズーム位置、望遠端における収差図である。実施例２はズーム比２９．１４、開口比３．５７〜７．１０程度のズームレンズである。
【００１９】
図５は実施例３のズームレンズの光路を展開したときの広角端におけるレンズ断面図である。図６（Ａ）、（Ｂ）、（Ｃ）、（Ｄ）はそれぞれ実施例３のズームレンズの広角端、第１の中間のズーム位置、第２の中間のズーム位置、望遠端における収差図である。実施例３はズーム比３５．１６、開口比３．４９〜７．８０程度のズームレンズである。
【００２０】
図７は実施例４のズームレンズの光路を展開したときの広角端におけるレンズ断面図である。図８（Ａ）、（Ｂ）、（Ｃ）、（Ｄ）、（Ｅ）はそれぞれ実施例４のズームレンズの広角端、第１の中間のズーム位置、第２の中間のズーム位置、第３の中間のズーム位置、望遠端における収差図である。実施例４はズーム比４０．１１、開口比３．６５〜９．００程度のズームレンズである。
【００２１】
図９は、本発明の実施例１において反射プリズムに設けた内面反射面で光路を折り曲げたときのレンズ断面図である。
【００２２】
図１０は本発明のズームレンズを備えるデジタルスチルカメラ（撮像装置）の要部概略図である。各実施例のズームレンズはビデオカメラやデジタルスチルカメラ、銀塩フィルムカメラ、テレビカメラ等の撮像装置に用いられる撮像レンズ系である。なお、各実施例のズームレンズは投射装置（プロジェクタ）用の投射光学系としても用いることができる。レンズ断面図において左方が物体側（前方）で、右方が像側（後方）である。また、レンズ断面図において、ｉを物体側からのレンズ群の順番とするとＢｉは第ｉレンズ群を示す。
【００２３】
各実施例のレンズ断面図において、ＳＰは開口絞り、ＦＰはフレアカット絞りであり、Ｇは光学フィルター、フェースプレート、ローパスフィルター、赤外カットフィルター等に相当する光学ブロックである。
【００２４】
ＰＲは光学系の光軸を９０度（９０度±１０度以内であればよい）折り曲げる反射面を含む反射プリズムであり、第３レンズ群Ｂ３に含まれ、ズーミングの際に不動である。ＩＰは像面であり、ビデオカメラやデジタルカメラの撮像光学系としてズームレンズを使用する際には、像面ＩＰはＣＣＤセンサやＣＭＯＳセンサといった固体撮像素子（光電変換素子）に相当する。銀塩フィルムカメラの撮像光学系としてズームレンズを使用する際には、像面ＩＰはフィルム面に相当する。レンズ断面図中の矢印は広角端から望遠端へのズーミング又はフォーカシングの際の各レンズ群の移動軌跡を示している。
【００２５】
球面収差図においてＦｎｏはＦナンバーである。また実線はｄ線（波長５８７．６ｎｍ）、２点鎖線はｇ線（波長４３５．８ｎｍ）である。非点収差図において実線はｄ線におけるサジタル像面、点線はメリディオナル像面である。歪曲収差はｄ線について示している。倍率色収差図において２点鎖線はｇ線である。ωは撮像半画角である。なお、以下の各実施例において広角端と望遠端はそれぞれ、変倍用のレンズ群が機構上、光軸上を移動可能な範囲の両端に位置したときの各ズーム位置をいう。
【００２６】
各実施例では、第Ｎ−１レンズ群Ｂ（Ｎ−１）を移動させることにより、ズーミングに伴う像面変動を補正している。また、第Ｎ−１レンズ群を光軸方向に移動させることでフォーカシングを行っている。第Ｎ−１レンズ群は、実施例１、２では単レンズから成り、実施例３、４では複数のレンズから成る。望遠端において無限遠物体から近距離物体へフォーカシングを行う際には、第Ｎ−１レンズ群が像側に移動する。位置敏感度が高い第Ｎ−１レンズ群によりフォーカシングを行うことで、フォーカシングに伴うレンズ群の移動量を減らすことができる。
【００２７】
また、各実施例では、広角端に比べて望遠端において、第Ｎ−１レンズ群と第Ｎレンズ群Ｂ（Ｎ）の間隔が大きくなるように、第Ｎ−１レンズ群が移動している。これにより、第Ｎレンズ群Ｂ（Ｎ）と第Ｎ−１レンズ群の変倍負担を増加させることができ、望遠端におけるレンズ全長を短縮しつつ、高ズーム比を実現することができる。
【００２８】
さらに、最も像側に正の屈折力を有する第Ｎレンズ群Ｂ（Ｎ）を配置することで、射出瞳を像面ＩＰから離れたところに設定することができる。これにより、固体撮像素子に入射する光束の入射角度を緩めることができ、バックフォーカスを十分に確保することができる。結果として、固体撮像素子上で発生するシェーディングを抑制することができる。
【００２９】
第Ｎレンズ群Ｂ（Ｎ）をズーミングに際して不動とすることで、第Ｎレンズ群Ｂ（Ｎ）が移動する場合と比較して、最も像側に位置するレンズ群の位置ずれを低減させることができる。結果として、全ズーム領域において高い光学性能を維持することができる。さらに、ズーミング時に移動するレンズ群を減らすことで、メカ構成を簡略化することが可能となり、製造コストの低減を図ることができる。
【００３０】
さらに、各実施例においては、第４レンズ群Ｂ４のみ、または第４レンズ群Ｂ４と第５レンズ群Ｂ５の両方を光軸に対して垂直方向の成分を持つように移動させて、ズームレンズが振動したときの撮影画像のブレを補正するようにしても良い。
【００３１】
各実施例において、望遠端における全系の焦点距離をｆＴ、第２レンズ群Ｂ２の焦点距離をｆ２、第Ｎ−１レンズ群の焦点距離をｆ（Ｎ−１）としたとき、
０．０１  ＜  √（｜ｆ２｜×｜ｆ（Ｎ−１）｜）／ｆＴ  ＜  ０．０９  …  （１）
なる条件式を満足している。
【００３２】
条件式（１）は第２レンズ群Ｂ２の焦点距離ｆ２の絶対値と第Ｎ−１レンズ群の焦点距離ｆ（Ｎ−１）の絶対値の相乗平均と、望遠端における全系の焦点距離ｆＴの比を規定したものである。条件式（１）の上限値を超えて、第２レンズ群Ｂ２の焦点距離ｆ２の絶対値や第Ｎ−１レンズ群の焦点距離ｆ（Ｎ−１）の絶対値が大きくなると、高ズーム比を実現するためにレンズ全長が増大するため好ましくない。条件式（１）の下限値を超えて、第２レンズ群Ｂ２の焦点距離ｆ２の絶対値や第Ｎ−１レンズ群の焦点距離ｆ（Ｎ−１）の絶対値が小さくなると、ペッツバール和が大きくなり、像面湾曲が増大するため好ましくない。
【００３３】
各実施例では上記の如く、条件式（１）を満足するように各要素を適切に設定している。これにより高ズーム比で、全ズーム範囲において高い光学性能が得られ、撮像装置に適用した際に撮像装置の厚さを薄くすることができるズームレンズが得られる。なお、各実施例において、好ましくは条件式（１）の数値範囲を次のようにするのがよい。
０．０３  ＜  √（｜ｆ２｜×｜ｆ（Ｎ−１）｜）／ｆＴ  ＜  ０．０８５  …  （１ａ）
また、さらに好ましくは条件式（１）の数値範囲を次のように設定するのがよい。
０．０５  ＜  √（｜ｆ２｜×｜ｆ（Ｎ−１）｜）／ｆＴ  ＜  ０．０８０  …  （１ｂ）
【００３４】
また、各実施例において、次の条件式のうち１つ以上を満足することが好ましい。ここで、第１レンズ群Ｂ１の焦点距離をｆ１、第Ｎレンズ群Ｂ（Ｎ）の焦点距離をｆ（Ｎ）、広角端における全系の焦点距離をｆＷとする。第Ｎ−１レンズ群の広角端における横倍率をβ（Ｎ−１）Ｗ、第Ｎレンズ群Ｂ（Ｎ）の広角端における横倍率をβ（Ｎ）Ｗとする。第Ｎ−１レンズ群の望遠端における横倍率をβ（Ｎ−１）Ｔ、第Ｎレンズ群Ｂ（Ｎ）の望遠端における横倍率をβ（Ｎ）Ｔとする。さらに、広角端、望遠端における全系の開放Ｆ値をそれぞれＦＮｏＷ、ＦＮｏＴ、第２レンズ群Ｂ２の広角端、望遠端における横倍率をそれぞれβ２Ｗ、β２Ｔとする。また、第Ｎ−１レンズ群を構成するレンズの屈折率の平均値をｎ（Ｎ−１）、第Ｎ−１レンズ群を構成する単レンズのアッベ数をν（Ｎ−１）とする。
【００３５】
このとき、
２．０  ＜  ｜｛１−（β（Ｎ−１）Ｔ）２｝×（β（Ｎ）Ｔ）２｜  ＜  ６．０  …（２）
０．０５  ＜  ｜ｆ（Ｎ−１）｜／ｆＴ  ＜  ０．２０  …（３）
０．０５  ＜  ｆ（Ｎ）／ｆＴ  ＜  ０．２０  …（４）
０．１００  ＜  ｆ１／ｆＴ  ＜  ０．４００  …（５）
０．０１０  ＜  ｜ｆ２｜／ｆＴ  ＜  ０．１００  …（６）
０．５０  ＜  ｛｜｛１−（β（Ｎ−１）Ｗ）２｝×（β（Ｎ）Ｗ）２｜／ＦＮｏＷ｝／｛｜｛１−（β（Ｎ−１）Ｔ）２｝×（β（Ｎ）Ｔ）２｜／ＦＮｏＴ｝  ＜  ２．００  …（７）
８．００  ＜  β２Ｔ／β２Ｗ  ＜  １８．００  …（８）
１．７５  ＜  ｎ（Ｎ−１）  ＜  ２．５０  …（９）
５０．０  ＜  ν（Ｎ−１）  …（１０）
なる条件式のうち、１つ以上を満足するのがよい。
【００３６】
条件式（２）は、第Ｎ−１レンズ群の位置敏感度を規定したものである。ここで、位置敏感度ＥＳとは、レンズ群を光軸方向にΔｘだけ移動させたときの結像位置の光軸方向の移動量Δｓｋと、レンズ群の光軸方向の移動量Δｘとの比であり、
ＥＳ  ＝  Δｓｋ／Δｘ
と表すことができる。
【００３７】
ここで、第Ｎ−１レンズ群に関しての位置敏感度を考える。第Ｎ−１レンズ群を光軸方向にΔｘだけ移動させたときの、結像位置の光軸方向の移動量Δｓｋは、
Δｓｋ  ＝  ｛（１−β２（Ｎ−１））×β２（Ｎ）｝×Δｘ
と表される。これによれば、移動するレンズ群の横倍率の絶対値が１であるときに位置敏感度は０となり、１から離れるほど大きくなる。
【００３８】
条件式（２）の上限値を超えて第Ｎ−１レンズ群の位置敏感度が高くなると、第Ｎ−１レンズ群の移動に対して結像位置が大きく移動するため、レンズ群の移動に関して精度の高い制御が求められる。レンズ群の移動精度を高めるためには、メカ機構等が複雑になるため好ましくない。条件式（２）の下限値を超えて第Ｎ−１レンズ群の位置敏感度が低くなると、結像位置を移動させるために、第Ｎ−１レンズ群を大きく移動させる必要が生じる。この結果、レンズ全長が増大するため好ましくない。また、第Ｎ−１レンズ群の移動に伴う収差変動を抑制することが困難となるため、好ましくない。
【００３９】
条件式（３）は、第Ｎ−１レンズ群の焦点距離ｆ（Ｎ−１）の絶対値と、望遠端における全系の焦点距離ｆＴの比を規定したものである。条件式（３）の上限値を超えて、第Ｎ−１レンズ群の焦点距離ｆ（Ｎ−１）の絶対値が大きくなると、高ズーム比を実現するためにレンズ全長を増大させる必要が生じるため好ましくない。条件式（３）の下限値を超えて、第Ｎ−１レンズ群の焦点距離ｆ（Ｎ−１）の絶対値が小さくなると、高ズーム比やレンズ全長の短縮の実現には有利であるが、負のペッツバール和が大きくなり、像面湾曲が増大するため好ましくない。
【００４０】
条件式（４）は、第Ｎレンズ群Ｂ（Ｎ）の焦点距離ｆ（Ｎ）と、望遠端における全系の焦点距離ｆＴの比を規定したものである。条件式（４）の上限値を超えて、第Ｎレンズ群Ｂ（Ｎ）の焦点距離ｆ（Ｎ）が長くなると、望遠端において射出瞳位置が像面ＩＰに近づきすぎて、良好なテレセントリック特性を実現することが困難になるため好ましくない。条件式（４）の下限値を超えて、第Ｎレンズ群Ｂ（Ｎ）の焦点距離ｆ（Ｎ）が短くなると、広角端から望遠端へのズーミングにおける収差変動が大きくなる。この収差変動を補正するためには、第Ｎレンズ群Ｂ（Ｎ）を構成するレンズ枚数を増やす必要がある。結果としてレンズ全長の増大を招くため好ましくない。
【００４１】
条件式（５）は、第１レンズ群Ｂ１の焦点距離ｆ１と、望遠端における全系の焦点距離ｆＴの比を規定したものである。条件式（５）の上限値を超えて第１レンズ群Ｂ１の焦点距離ｆ１が長くなると、高ズーム比を実現するために第１レンズ群Ｂ１の移動量が大きくなり、レンズ全長が増大するため好ましくない。条件式（５）の下限値を超えて第１レンズ群Ｂ１の焦点距離ｆ１が短くなると、第１レンズ群Ｂ１の屈折力が強くなりレンズ全長の短縮には有利だが、製造誤差による像面倒れやズーミングの際の像ゆれが大きくなるため、好ましくない。
【００４２】
条件式（６）は、第２レンズ群Ｂ２の焦点距離ｆ２の絶対値と、望遠端における全系の焦点距離ｆＴの比を規定したものである。条件式（６）の上限値を超えて第２レンズ群Ｂ２の焦点距離ｆ２の絶対値が大きくなると、高ズーム比を実現するためにレンズ全長が増大するため好ましくない。条件式（６）の下限値を超えて第２レンズ群Ｂ２の焦点距離ｆ２の絶対値が小さくなると、高ズーム比やレンズ全長の短縮の実現には有利であるが、負のペッツバール和が大きくなり、像面湾曲が増大するため好ましくない。
【００４３】
条件式（７）は、第Ｎ−１レンズ群の位置敏感度と開放Ｆ値の比を規定したものである。条件式（７）の上限値を超えて、広角端における第Ｎ−１レンズ群の位置敏感度が大きくなると、広角側で焦点調節を行う際に、第Ｎ−１レンズ群の移動距離を精密に制御する必要が生じる。その結果、焦点調節を高精度に行うことが困難になるため、好ましくない。条件式（７）の下限値を超えて、広角端における第Ｎ−１レンズ群の位置敏感度が小さくなると、広角側で焦点調節を行う際に第Ｎ−１レンズ群の移動量を大きくする必要が生じる。その結果、焦点調節をすばやく行うことが困難になるため好ましくない。
【００４４】
条件式（８）は、広角端における第２レンズ群Ｂ２の横倍率β２Ｗと、望遠端における第２レンズ群Ｂ２の横倍率β２Ｔとの比を規定したものである。条件式（８）の上限値を超えて第２レンズ群Ｂ２の変倍作用が強くなると、像面湾曲や非点収差が大きくなるため好ましくない。条件式（８）の下限値を超えて第２レンズ群Ｂ２の変倍作用が弱くなると、高ズーム比を実現するためには、第Ｎ−１レンズ群の屈折力を強くする必要が生じる。その結果、ズーミングに伴う像面変動を抑えることが困難となるため好ましくない。
【００４５】
条件式（９）は、第Ｎ−１レンズ群を構成する各レンズの屈折率の平均値を規定したものである。条件式（９）の上限値を超えて屈折率の平均値が高くなると、曲率半径が大きくなり、おもに広角端における歪曲収差を十分に補正することができなくなるため、好ましくない。条件式（９）の下限値を超えて屈折率の平均値が低くなると、高ズーム比を実現するために、第Ｎ−１レンズ群を構成する各レンズの曲率半径が小さくなる。その結果、非点収差の補正が困難になるため好ましくない。
【００４６】
条件式（１０）は、第Ｎ−１レンズ群を構成する単レンズのアッベ数を規定したものである。条件式（１０）の範囲を逸脱すると、分散が大きくなり、ズーミングに伴う色収差の変動を抑制することが困難となる。
【００４７】
なお、好ましくは条件式（２）から条件式（１０）の数値範囲を次の如く設定するのがよい。
３．０  ＜  ｜｛１−（β（Ｎ−１）Ｔ）２｝×（β（Ｎ）Ｔ）２｜  ＜  ５．０  …（２ａ）
０．０７  ＜  ｜ｆ（Ｎ−１）｜／ｆＴ  ＜  ０．１５  …（３ａ）
０．０７  ＜  ｆ（Ｎ）／ｆＴ  ＜  ０．１５  …（４ａ）
０．１５０  ＜  ｆ１／ｆＴ  ＜  ０．３５０  …（５ａ）
０．０２０  ＜  ｜ｆ２｜／ｆＴ  ＜  ０．０８０  …（６ａ）
０．７０  ＜  ｛｜｛１−（β（Ｎ−１）Ｗ）２｝×（β（Ｎ）Ｗ）２｜／ＦＮｏＷ｝／｛｜｛１−（β（Ｎ−１）Ｔ）２｝×（β（Ｎ）Ｔ）２｜／ＦＮｏＴ｝  ＜  １．４０  …（７ａ）
９．００  ＜  β２Ｔ／β２Ｗ  ＜  １５．００  …（８ａ）
１．８２  ＜  ｎ（Ｎ−１）  ＜  ２．４０  …（９ａ）
６０．０  ＜  ν（Ｎ−１）  ＜  ８２．０  …（１０ａ）
【００４８】
また、さらに好ましくは条件式（２）から条件式（１０）の数値範囲を次の如く設定すると、各条件式がもたらす効果を最大限に得られる。
３．２  ＜  ｜｛１−（β（Ｎ−１）Ｔ）２｝×（β（Ｎ）Ｔ）２｜  ＜  ４．５  …（２ｂ）
０．０８  ＜  ｜ｆ（Ｎ−１）｜／ｆＴ  ＜  ０．１３  …（３ｂ）
０．０８  ＜  ｆ（Ｎ）／ｆＴ  ＜  ０．１４  …（４ｂ）
０．１８０  ＜  ｆ１／ｆＴ  ＜  ０．３００  …（５ｂ）
０．０３０  ＜  ｜ｆ２｜／ｆＴ  ＜  ０．０６０  …（６ｂ）
０．８０  ＜  ｛｜｛１−（β（Ｎ−１）Ｗ）２｝×（β（Ｎ）Ｗ）２｜／ＦＮｏＷ｝／｛｜｛１−（β（Ｎ−１）Ｔ）２｝×（β（Ｎ）Ｔ）２｜／ＦＮｏＴ｝  ＜  １．２０  …（７ｂ）
１０．００  ＜  β２Ｔ／β２Ｗ  ＜  １３．００  …（８ｂ）
１．８２  ＜  ｎ（Ｎ−１）  ＜  ２．１０  …（９ｂ）
６５．０  ＜  ν（Ｎ−１）  ＜  ７４．０  …（１０ｂ）
【００４９】
以上の条件式を任意に組み合わせることにより、さらに本発明の効果を高めることができる。
【００５０】
次に、各実施例のレンズ構成について説明する。各レンズは特に断りがない限り、物体側から像側へ順に配置されている。実施例１乃至３のズームレンズは、物体側より像側へ順に、正の屈折力の第１レンズ群Ｂ１、負の屈折力の第２レンズ群Ｂ２、負の屈折力の第３レンズ群Ｂ３、正の屈折力の第４レンズ群Ｂ４、負の屈折力の第５レンズ群Ｂ５、正の屈折力の第６レンズ群Ｂ６から成る。各実施例において第１レンズ群Ｂ１、第２レンズ群Ｂ２、第３レンズ群Ｂ３及び第４レンズ群Ｂ４の構成は共通する。
【００５１】
正の屈折力の第１レンズ群Ｂ１は、物体側より像側へ順に、物体側に凸面を向けたメニスカス形状の負レンズと正レンズとの接合レンズ、物体側に凸面を向けたメニスカス形状の正レンズより成る。負の屈折力の第２レンズ群Ｂ２は、物体側より像側へ順に、像側に凹面を向けたメニスカス形状の負レンズ、両面が凹面の負レンズ、両面が凸面の正レンズと両面が凹面の負レンズの接合レンズから成る。
【００５２】
負の屈折力の第３レンズ群Ｂ３は、光路を折り曲げるための反射部材、物体側に凹面を向けたメニスカス形状の負レンズより成る。正の屈折力の第４レンズ群Ｂ４は、両面が凸面の正レンズ、像側に凹面を向けたメニスカス形状の負レンズ、像側に凹面を向けたメニスカス形状の負レンズと両面が凸面の正レンズの接合レンズから成る。
【００５３】
実施例１のズームレンズでは、負の屈折力の第５レンズ群Ｂ５は、像側に凸面を向けたメニスカス形状の正レンズと両面が凹面の負レンズの接合レンズから成る。正の屈折力の第６レンズ群は、物体側に凸面を向けたメニスカス形状の正レンズから成る。
【００５４】
実施例２のズームレンズでは、負の屈折力の第５レンズ群Ｂ５は、像側に凹面を向けたメニスカス形状の負レンズと物体側に凸面を向けたメニスカス形状の正レンズの接合レンズから成る。正の屈折力の第６レンズ群は、両面が凸面の正レンズから成る。
【００５５】
実施例３のズームレンズでは、負の屈折力の第５レンズ群Ｂ５は、両面が凹面の負レンズから成る。正の屈折力の第６レンズ群は、両面が凸面の正レンズから成る。
【００５６】
実施例４のズームレンズは、物体側より像側へ順に、正の屈折力の第１レンズ群Ｂ１、負の屈折力の第２レンズ群Ｂ２、負の屈折力の第３レンズ群Ｂ３、正の屈折力の第４レンズ群Ｂ４、正の屈折力の第５レンズ群Ｂ５、負の屈折力の第６レンズ群Ｂ６、正の屈折力の第７レンズ群Ｂ７から構成されている。
【００５７】
正の屈折力の第１レンズ群Ｂ１は、物体側より像側へ順に、物体側に凸面を向けたメニスカス形状の負レンズと正レンズとの接合レンズ、物体側に凸面を向けたメニスカス形状の正レンズより成る。負の屈折力の第２レンズ群Ｂ２は、物体側より像側へ順に、像側に凹面を向けたメニスカス形状の負レンズ、両面が凹面の負レンズ、両面が凸面の正レンズと両面が凹面の負レンズの接合レンズから成る。
【００５８】
負の屈折力の第３レンズ群Ｂ３は、光路を折り曲げるための反射部材、物体側に凹面を向けたメニスカス形状の負レンズより成る。正の屈折力の第４レンズ群Ｂ４は、両面が凸面の正レンズから成る。正の屈折力の第５レンズ群Ｂ５は、物体側に凸面を向けたメニスカス形状の正レンズと像側に凹面を向けたメニスカス形状の負レンズの接合レンズ、像側に凹面を向けたメニスカス形状の負レンズと両面が凸面の正レンズの接合レンズから成る。
【００５９】
負の屈折力の第６レンズ群Ｂ６は、両面が凹面の負レンズから成る。正の屈折力の第７レンズ群は、両面が凸面の正レンズから成る。
【００６０】
次に、本発明の実施例１〜４にそれぞれ対応する数値実施例１〜４を示す。各数値実施例において、ｉは物体側からの光学面の順序を示す。ｒｉは第ｉ番目の光学面（第ｉ面）の曲率半径、ｄｉは第ｉ面と第ｉ＋１面との間の間隔、ｎｄｉ、νｄｉはそれぞれｄ線に対する第ｉ番目の光学部材の材料の屈折率、アッベ数を示す。またｋを離心率、Ａ３〜Ａ１０を非球面係数、面頂点を基準にして光軸からの高さｈの位置における光軸方向の変位をｘとするとき、非球面形状は、
ｘ＝（ｈ２／Ｒ）／［１＋｛１−（１＋ｋ）（ｈ／Ｒ）２｝１／２］＋Ａ３ｈ３＋Ａ４ｈ４＋Ａ５ｈ５＋Ａ６ｈ６＋Ａ７ｈ７＋Ａ８ｈ８＋Ａ９ｈ９＋Ａ１０ｈ１０
で表される。但しＲは近軸曲率半径である。各数値実施例における上述した条件式との対応を表１に示す。
【００６１】
［数値実施例１］
単位：ｍｍ
面データ
面番号       r        d      nd         νd
1         52.042    0.90   2.00069    25.5
2         26.860    4.87   1.59282    68.6
3       -312.162    0.05    
4         27.215    2.39   1.77250    49.6
5        141.996  (可変)
6        365.386    0.50   2.00100    29.1
7         11.041    2.86  
8*       -26.051    0.40   1.88202    37.2
9         17.569    0.38     
10         15.868    2.92   1.95906    17.5
11        -22.194    0.40   1.88300    40.8
12         44.733  (可変)    
13          ∞       8.50   1.88300    40.8
14       -299.416    1.00      
15         -9.759    0.50   1.48749    70.2
16        -19.847  (可変)    
17*         8.354    2.61   1.55332    71.7
18*       -36.394    1.00    
19(絞り)    ∞       1.32    
20         20.382    0.45   1.91082    35.3
21          7.189    1.45      
22         11.241    0.45   1.56883    56.4
23          5.853    2.91   1.59282    68.6
24        -24.706    0.65     
25          ∞     (可変)     
26       -189.430    1.22   2.00272    19.3
27         -8.509    0.50   2.00069    25.5
28         18.212  (可変)      
29*        10.101    2.50   1.55332    71.7
30        192.404    1.00    
31          ∞       0.30   1.51633    64.1
32          ∞       1.60    
33          ∞       0.50   1.51633    64.1
34          ∞       1.54     
像面        ∞   
非球面データ
第8面
K =-2.23841e+000  A 4=-2.77013e-007  A 6=-1.31385e-007
第17面
K =-1.73808e-001  A 4=-9.86340e-005  A 6=-2.24338e-007  A 8=-1.07120e-008
第18面
K =-2.35996e+001  A 4= 6.68539e-005
第29面
K = 1.27604e-001  A 4=-4.38627e-005
各種データ
ズーム比     28.69 
焦点距離       4.85    26.80    83.86   139.11
Fナンバー      3.50     6.64     7.10     7.10
画角          38.50     8.10     2.60     1.56
像高           3.37     3.88     3.88     3.88
レンズ全長    86.22    94.08   100.59   102.06
BF             4.67     4.67     4.67     4.67
d 5            0.55     9.20    18.89    21.79
d12            6.09     5.31     2.13     0.70
d16           21.78     3.22     0.51     0.37
d25            3.90    16.58    20.35    11.34
d28            8.50    14.37    13.30    22.46
ズームレンズ群データ
群  始面    焦点距離  
1    1      34.81  
2    6      -7.25  
3   15     -45.49  
4   17      13.76  
5   26     -16.60  
6   29      19.17  
【００６２】
［数値実施例２］
単位：ｍｍ
面データ
面番号       r        d      nd         νd
1         59.282    0.90   2.00330    28.3    
2         24.964    4.83   1.49700    81.5  
3       -123.707    0.05      
4         25.868    2.48   1.80400    46.6   
5        283.883  (可変)  
6       13865.464    0.45   2.00100    29.1   
7          8.852    2.78         
8*       -17.917    0.50   1.88202    37.2    
9         19.005    0.35     
10         16.983    2.45   1.95906    17.5   
11        -19.164    0.40   1.80400    46.6   
12        366.764  (可変)     
13          ∞       8.50   1.88300    40.8   
14          ∞       1.00     
15         -9.448    0.50   1.48749    70.2  
16        -16.794  (可変)    
17*         8.603    2.65   1.55332    71.7   
18*       -59.891    1.00    
19(絞り)    ∞       1.32     
20         15.351    0.45   1.91082    35.3   
21          6.997    1.10  
22          8.464    0.45   1.71300    53.9  
23          6.953    2.78   1.49700    81.5   
24        -16.947    0.65     
25          ∞     (可変)    
26         59.401    0.50   1.91082    35.3   
27          5.972    1.45   1.76182    26.5    
28         13.096  (可変)     
29*        13.653    2.52   1.55332    71.7  
30        -33.458    1.60      
31          ∞       0.30   1.51633    64.1  
32          ∞       1.60   
33          ∞       0.50   1.51633    64.1   
34          ∞       0.05    
像面        ∞   
非球面データ
第8面
K = 3.95293e+000  A 4= 1.30029e-004  A 6= 7.70233e-007
第17面
K =-6.90150e-002  A 4=-7.58817e-005  A 6= 3.00603e-007  A 8=-8.83464e-009
第18面
K =-3.04243e+001  A 4= 1.58670e-004
第29面
K = 6.91321e-001  A 4=-3.67136e-005
各種データ
ズーム比     29.14
焦点距離       4.53     8.74    43.31   132.00
Fナンバー      3.57     4.94     7.08     7.10
画角          40.61    24.75     4.97     1.65
像高           3.41     3.88     3.88     3.88
レンズ全長    83.90    82.70    96.53   101.01
BF             4.23     4.23     4.23     4.23
d 5            0.50     1.04    15.17    23.00
d12            6.09     4.35     4.05     0.70
d16           19.92    11.32     0.52     0.37
d25            3.67     6.15    20.42    11.20
d28            9.44    15.56    12.09    21.46
ズームレンズ群データ
群  始面    焦点距離  
1    1      34.16  
2    6      -6.68  
3   15     -45.32  
4   17      13.04  
5   26     -14.72  
6   29      17.86  
【００６３】
［数値実施例３］
単位：ｍｍ
面データ
面番号       r        d      nd         νd
1         51.553    0.90   2.00069    25.5  
2         27.348    5.63   1.59282    68.6  
3       -422.389    0.05    
4         27.970    2.80   1.77250    49.6   
5        140.782  (可変)     
6        288.979    0.50   2.00100    29.1  
7         10.625    3.36      
8*       -32.363    0.40   1.88202    37.2  
9         19.877    0.38      
10         15.983    3.02   1.95906    17.5  
11        -26.207    0.40   1.88300    40.8   
12         41.523  (可変)      
13          ∞       8.50   1.88300    40.8   
14       -299.416    1.00     
15        -10.265    0.50   1.48749    70.2    
16        -23.054  (可変)  
17*         8.553    2.78   1.55332    71.7  
18*       -43.533    1.00      
19(絞り)    ∞       1.32    
20         19.716    0.45   1.91082    35.3   
21          7.344    1.52     
22         11.698    0.45   1.56883    56.4  
23          5.830    3.63   1.59282    68.6   
24        -26.268    0.65     
25          ∞     (可変)   
26*       -88.554    0.60   1.55332    71.7  
27*        10.566  (可変)    
28*        17.888    3.11   1.49710    81.6    
29        -17.961    1.00     
30          ∞       0.30   1.51633    64.1   
31          ∞       1.60     
32          ∞       0.50   1.51633    64.1   
33          ∞       1.10    
像面        ∞   
非球面データ
第8面
K = 4.17513e+000  A 4= 2.44722e-005  A 6=-1.63096e-007  
第17面
K =-1.83094e-001  A 4=-8.83549e-005  A 6=-6.46068e-007  A 8=-5.48440e-009  
第18面
K =-5.22743e+001  A 4= 2.72803e-005  
第26面
K =-5.78509e+001  A 4= 1.83615e-004  
第27面
K = 4.69984e-001  A 4= 1.86205e-004  
第28面
K =-1.15752e+000  A 4=-4.38627e-005  
各種データ
ズーム比     35.16 
焦点距離       4.79     9.68    90.92   168.38  
Fナンバー      3.49     5.03     7.80     7.80  
画角          37.99    22.26     2.38     1.30  
像高           3.37     3.88     3.88     3.88  
レンズ全長    92.84    92.42   107.28   109.12  
BF             4.23     4.23     4.23     4.23  
d 5            0.55     1.40    18.63    22.22  
d12            6.09     4.82     2.45     0.70  
d16           26.05    15.61     0.73     0.37  
d25            4.26     6.07    23.33    12.18  
d27            8.71    17.33    14.96    26.46  
ズームレンズ群データ
群  始面    焦点距離  
1    1      35.91  
2    6      -7.68  
3   15     -43.48  
4   17      14.44  
5   26     -17.02  
6   28      18.56  
【００６４】
［数値実施例４］
単位：ｍｍ
面データ
面番号       r        d      nd         νd
1         50.999    0.90   2.00069    25.5   
2         27.514    5.89   1.59282    68.6   
3       -214.923    0.05    
4         26.168    2.54   1.75500    52.3    
5        103.856  (可変)     
6        181.941    0.50   2.00100    29.1  
7          9.417    3.51   
8*       -33.615    0.40   1.88202    37.2  
9         20.596    0.38   
10         15.428    3.02   1.95906    17.5  
11        -25.000    0.40   1.88300    40.8   
12         36.304  (可変)     
13          ∞       8.50   1.88300    40.8  
14       -299.416    1.00     
15        -10.771    0.50   1.48749    70.2    
16        -20.882  (可変)   
17*         9.423    2.62   1.55332    71.7   
18*       -55.635  (可変)    
19(絞り)    ∞       1.32   
20         15.218    1.00   1.88300    40.8   
21         31.385    0.45   1.91082    35.3  
22          7.316    1.32   
23          9.768    0.45   1.51633    64.1   
24          5.733    2.95   1.49700    81.5    
25        -33.318    0.65      
26          ∞     (可変)   
27*       -56.905    0.60   1.55332    71.7   
28*        11.244  (可変)    
29*        17.655    2.92   1.49710    81.6   
30        -14.938    1.22   
31          ∞       0.30   1.51633    64.1   
32          ∞       1.60    
33          ∞       0.50   1.51633    64.1   
34          ∞       0.89     
像面        ∞   
非球面データ
第8面
K = 1.42318e+001  A 4= 6.33829e-005  A 6= 2.13913e-007  
第17面
K =-5.71269e-002  A 4=-5.90580e-005  A 6=-2.77162e-007  A 8=-7.27788e-009  
第18面
K =-7.11443e+001  A 4= 5.48086e-005  
第27面
K = 1.44624e+002  A 4= 5.29841e-004  
第28面
K =-9.55830e-003  A 4= 4.88012e-004  
第29面
K =-7.49128e+000  A 4=-4.38627e-005  
各種データ
ズーム比     40.11 
焦点距離       4.67     8.40    41.07   134.09   187.19  
Fナンバー      3.65     5.07     8.18     8.89     9.00  
画角          38.18    22.75     4.72     1.45     1.05  
像高           3.50     3.50     3.50     3.50     3.50  
レンズ全長    94.90    94.19   106.70   110.15   110.54  
BF             4.24     4.24     4.24     4.24     4.24  
d 5            0.55     0.89    12.29    20.01    21.59  
d12            6.09     5.04     6.15     1.89     0.70  
d16           27.95    18.73     3.58     0.81     0.37  
d18            1.00     1.10     0.89     0.93     1.00  
d26            4.33     5.51    19.18    19.98    12.65  
d28            8.86    16.80    18.49    20.42    28.11  
ズームレンズ群データ
群  始面    焦点距離  
1    1      34.51  
2    6      -7.16  
3   15     -53.85  
4   17      14.78  
5   20     145.55  
6   27     -16.91  
7   29      16.78  
【００６５】
【表１】
2014109665.tif 000003
【００６６】
次に、本発明のズームレンズを撮影光学系として用いたデジタルスチルカメラの実施例について、図１０を用いて説明する。図１０において、２０はカメラ本体、２１は実施例１〜４で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記憶するメモリである。２４は液晶ディスプレイパネル等によって構成され、固体撮像素子２２上に形成された被写体像を観察するためのファインダである。
【符号の説明】
【００６７】
Ｂ１  第１レンズ群
Ｂ２  第２レンズ群
Ｂ３  第３レンズ群
Ｂ４  第４レンズ群
Ｂ５  第５レンズ群
Ｂ６  第６レンズ群
Ｂ７  第７レンズ群
ＳＰ  開口絞り
ＦＰ  フレアカット絞り
Ｇ  フェースプレートやローパスフィルター等のガラスブロック
ＩＰ  像面
ＰＲ  反射プリズム
ｄ  ｄ線
ｇ  ｇ線
ΔＳ  サジタル像面
ΔＭ  メリディオナル像面
ω  半画角
Ｆｎｏ  Ｆナンバー
【図１】
2014109665.tif 000004
【図２】
2014109665.tif 000005
【図３】
2014109665.tif 000006
【図４】
2014109665.tif 000007
【図５】
2014109665.tif 000008
【図６】
2014109665.tif 000009
【図７】
2014109665.tif 000010
【図８】
2014109665.tif 000011
【図９】
2014109665.tif 000012
【図１０】
2014109665.tif 000013